(57)【特許請求の範囲】
【請求項１】
流入された汚水中の粗大固形物を除去するばっ気型スクリーン槽又は荒目スクリーン槽と、し渣を除去する微細目スクリーン槽と、充填された担体が流動する担体流動槽とを備える浄化槽であって、
前記微細目スクリーン槽が、２ｍｍ以上の前記し渣を除去できる多孔製のスクリーン板を有する多孔スクリーン槽として形成され、前記多孔スクリーン槽が、前記ばっ気型スクリーン槽又は荒目スクリーン槽と前記担体流動槽との間に配設されるとともに、前記スクリーン板で前記多孔スクリーン槽と前記担体流動槽とを連通可能に仕切るように、前記担体流動槽に隣接して配設され、
前記多孔スクリーン槽内において、汚泥・し渣を汚泥濃縮貯留槽に移送する１個のエアリフトポンプが配設されていることを特徴とする浄化槽。
【請求項２】
前記多孔スクリーン槽内には、前記スクリーン板と平行して整流板が配設されていることを特徴とする請求項１記載の浄化槽。
【請求項３】
前記多孔スクリーン槽内には、前記多孔スクリーン槽の底部に空気の出口を有する散気装置が配設されていることを特徴とする請求項１又は２記載の浄化槽。
【発明の詳細な説明】
【技術分野】
【０００１】
本発明は、し尿及び生活排水（以下、汚水という）を処理する浄化槽であって、主に業務用汚水を処理することに好適な浄化槽に関する。
【背景技術】
【０００２】
周知のように、浄化槽は、接触ばっ気槽や担体流動槽等の生物反応槽での接触材等の閉塞やそれによる機能障害の発生を防止するために、し渣（２ｍｍ以上の夾雑物を含む）の除去を行っている。この除去に関して、従来の浄化槽１００は、図１４のフローチャートで示すように構成されている。つまり、流入された汚水は、汚水の粗大固形物を除去するばっ気型スクリーン（又は荒目スクリーン及び沈砂槽）１０１と、汚水内のし渣を除去する微細目スクリーン１０２と、汚水の所定の流量を調整して次工程に流す流量調整槽１０３と、生物反応槽として配置される回転板接触槽１０４と、汚泥を沈殿させる沈殿槽１０５及び消毒槽１０６とを備えて構成されている。沈殿槽１０５で沈殿された汚泥は汚泥濃縮貯留槽１０７に送られ、汚泥は汚泥濃縮貯留槽１０７に、分離液は流量調整槽１０３にそれぞれ移送される。
【０００３】
この際、微細目スクリーン１０２としては櫛状に形成された自動掻揚げ式のバースクリーンが使用されていた。この微細目スクリーン１０２は、モータで自動掻揚げすることから、付属する機器（例えば、ブレーカー等）を備えるためにイニシャルコストが高く、また電力を消費するためにランニングコストが高くなっていた。また、定期的なメンテナンスが必要なため、軸受・櫛歯等の消耗品の交換や配線・結線等の電気工事を行わなければならなかった。
【０００４】
一方、特許文献１には、汚水処理施設の前処理法が開示されている。これによると、この汚水処理施設の前処理法は、前処理槽に微細目スクリーンを設けて目詰まりなく汚水をろ過し、汚物を微細に分解して汚水から分離沈殿させるものであり、スクリーンの前面に添って下方から空気を噴出して汚水を回流させて汚物を微細に分解している。この汚水中、比重の大きいものを細目の底面スクリーンで下方の汚物沈殿槽にろ過沈殿させる。そして微細目スクリーン後面に、先端縁を下方に下げた整流板と気泡回収板とを設けている。微細目スクリーンの後方にはＳＳ沈殿槽が配設され、気泡を回収するとともに汚水の攪拌を起こさずにＳＳ沈降を促進させている。この微細目スクリーンではメッシュスクリーンが使用されていた。
【特許文献１】特公平０４−５１２０４号公報
【発明の開示】
【発明が解決しようとする課題】
【０００５】
しかし、ばっ気型スクリーン１０１を通って微細目スクリーン１０２を通る従来の浄化槽１００では、微細目スクリーンが自動掻揚げ式のためモータを使用していたことから、上述のように、イニシャルコストやランニングコスト等を高くすることとなっていた。また、汚泥が微細目スクリーン１０２で除去されるし渣とは別に汚泥濃縮貯留槽１０７に送られていたことから、エアリフトポンプの数を多くして、やはりコストを高くすることとなっていた。
【０００６】
また、特許文献１においては、微細目スクリーンを通る前に流量が調整されているわけではなく、流入される粗大固形物とし渣とが制限なく攪拌槽の一つの部屋で除去するように構成されていた。そのため、流入される汚水は攪拌室で攪拌された後、微細目スクリーンを通ることから、攪拌室で汚物が分解されることがあっても、微細目スクリーンには、し渣が付着しやすい。したがって、スクリーンを付着するし渣を充分に取り除くことができず、目詰まりを起こしやすかった。
【課題を解決するための手段】
【０００７】
本発明は、上述の課題を解決するものであり、微細目スクリーンの目詰まりをなくして、夾雑物を含むし渣を確実に除去するとともに、省電力で廉価に構成された浄化槽を提供することを目的とする。そのために、本発明に係る浄化槽は以下のように構成するものである。すなわち、
請求項１記載の発明では、流入された汚水中の粗大固形物を除去するばっ気型スクリーン槽又は荒目スクリーン槽と、し渣を除去する微細目スクリーン槽と、充填された担体が流動する担体流動槽とを備える浄化槽であって、前記微細目スクリーン槽が、２ｍｍ以上の前記し渣を除去できる多孔製のスクリーン板を有する多孔スクリーン槽として形成され、前記多孔スクリーン槽が、前記ばっ気型スクリーン槽又は荒目スクリーン槽と前記担体流動槽との間に配設されるとともに、前記スクリーン板で前記多孔スクリーン槽と前記担体流動槽とを連通可能に仕切るように、前記担体流動槽に隣接して配設され、前記多孔スクリーン槽内において、汚泥・し渣を汚泥濃縮貯留槽に移送する１個のエアリフトポンプが配設されていることを特徴とするものである。
【０００９】
請求項２記載の発明では、前記多孔スクリーン槽内には、前記スクリーン板と平行して整流板が配設されていることを特徴としている。
【００１０】
請求項３記載の発明では、前記多孔スクリーン槽内には、前記多孔スクリーン槽の底部に空気の出口を有する散気装置が配設されていることを特徴としている。
【発明の効果】
【００１１】
本発明によれば、浄化槽に流入される汚水は、ばっ気スクリーン槽又は荒目スクリーン槽において３０ｍｍ又は５０ｍｍ以上の粗大固形物を除去する。粗大固型物が除去された汚水は、流量調整槽によって設定流量に調整された汚水を多孔スクリーン槽に移送して２ｍｍ以上のし渣を除去する。したがって、多孔スクリーン槽を透過した汚水は粗大固形物とし渣が除去されることから、担体流動槽に移送する汚水は、生物反応による除去が行われることとなる。このため、多孔スクリーン槽を透過した汚水は２段構造による粗大固形物やし渣の除去によって確実に汚物が除去される。
【００１２】
また、本発明においては、担体流動槽は、多孔スクリーン槽の後工程で多孔スクリーン槽とスクリーン板で連通可能に仕切られるように隣接して設けられていることから、汚水はスクリーン板を透過する際にし渣を除去することができる。このため、スクリーン板を揺動する必要がないから、揺動させるためのモータを必要とすることなく廉価に構成できる。また多孔スクリーン槽のスクリーン板に付着したし渣は、担体流動槽内で回流する流動担体がスクリーン板に接触することによってスクリーン板から離隔する。これによって、目詰まりを防止することができる。また、多孔スクリーン槽と担体流動槽とがスクリーン板を介して部屋同士つながっていることから、両部屋の汚泥濃度は均一となって汚泥調整と、し渣等の汚泥濃縮貯留槽への移送を、従来２つのエアリフトポンプで行っていたものを１つのエアリフトポンプで行うことができる。
【００１３】
また、多孔スクリーン槽内には、スクリーン板と略平行に配置した整流板を設けているから、スクリーン板と整流板との間で、ばっ気により、気泡の流速を速めることができる。この際、散気装置から発生する気泡がスクリーン板と整流板との間で回流することになり、気泡とスクリーン板との接触効率を向上するからスクリーン板の目詰まりの防止を促進することができる。
【発明を実施するための最良の形態】
【００１４】
次に、本発明の浄化槽の一実施形態を図面に基づいて説明する。この形態の浄化槽においては、粗大固形物をばっ気型スクリーン槽（又は荒目スクリーン槽）で除去した後、流量調整された汚水を微細目スクリーン槽で２ｍｍ以上のし渣を除去するように構成されている。
【００１５】
図１のフローチャートに示すように、実施形態においては、浄化槽１において、流入された汚水は、ばっ気型スクリーン槽２を通って５０ｍｍ以上の粗大固形物を除去する。粗大固形物が除去された汚水は、流量調整槽３において、流量調整されて微細目スクリーンとしての多孔スクリーン槽１０に移送される。多孔スクリーン槽１０は箱状に形成されて、２ｍｍ以上の夾雑物を含むし渣が除去される。この際、多孔スクリーン槽１０の底部に沈殿された汚泥・し渣等は１個のエアリフトポンプ１５（図４参照）で汚泥濃縮貯留槽４に送られる。２ｍｍ以上のし渣が除去された汚水は、担体流動槽５に送られて担体による生物反応処理される。そして、生物ろ過槽６でろ過されて浄化された水が消毒されて放流ポンプ槽７から外部に放流される。生物ろ過槽６で残された汚泥は、流量調整槽３に戻すように循環されて、新たに流入された汚水とともに流量が調整された状態で、再び浄化されることになる。
【００１６】
この浄化槽１の詳細を、図２〜１０に示す。図２は平面図を示すものであり、図３はその断面図を示すものである。浄化槽１のケース１ａ内には、流入側から順に、ばっ気型スクリーン槽２、流量調整槽３、汚泥濃縮貯留槽４、多孔スクリーン槽１０、担体流動槽５、生物ろ過槽６、放流ポンプ槽７がそれぞれ配置されている。
【００１７】
ばっ気型スクリーン槽２は、図２、図３、図８に示すように、ケース１ａの端部から流体調整槽３内に侵入するように配置されるとともに、ばっ気型スクリーン槽２には、櫛状に形成されたバースクリーン２１が配置されて、５０ｍｍ以上の粗大固形物をばっ気により除去可能に構成されている。ばっ気型スクリーン槽２と流量調整槽３との間は、壁で遮蔽可能に仕切られていて、粗大固形物が除去された汚水は配管部材を通して流量調整槽３に送られる。流量調整槽３は、ばっ気型スクリーン槽２と汚泥濃縮貯留槽４との間において壁で遮蔽可能に仕切られて汚水が貯留されている。流量調整槽３には、貯留されている汚水を上方に汲み上げる電動ポンプ３１と、汲み上げられた汚水を計量する計量装置３２とを備えている。そして、所定量に計量された汚水分だけを移流管３３を通して多孔スクリーン槽１０に移送する。また、流量調整槽３の上部には、生物ろ過槽６からの汚泥を戻す後述の移送管６４が接続され、生物ろ過槽６から除去された汚泥を底部に落下させている。
【００１８】
なお、実施形態においては、ばっ気型スクリーン槽２で粗大固形物を除去するようにしているが、ばっ気型スクリーン槽２の代わりに荒目スクリーン槽を配置してもよい。この場合、スクリーンとしては、同様にバースクリーンが使用され、粗大固形物は５０ｍｍ以上のものが除去されることとなる。
【００１９】
実施形態の多孔スクリーン槽１０は、後面の下部に傾斜部を有してホッパ状に形成された箱状であり、汚泥濃縮貯留槽４内において、担体流動槽５と向かい合う位置に侵入するように配置されている。
【００２０】
多孔スクリーン槽１０を詳細に説明すれば、図４〜７に示すように、担体流動槽５に対向する面を開放したホッパ状のケース１１と、ケース１１の開放した面に挿入するように固着された多孔製のスクリーン板１２と、スクリーン板１２の上方に配置された副水路１３と、多孔スクリーン槽１０内においてスクリーン板１２に対して、担体流動槽５と離れた位置に平行に配置された整流板１４と、多孔スクリーン槽１０に沈殿した汚泥やし渣を吸込んで汚泥濃縮貯留槽４に移送するエアリフトポンプ１５と、ケース１１内に空気を送給して気泡を発生させる散気装置１８を備えている。
【００２１】
ケース１１は、上部で流量調整槽３から延設された移流管３３の先端部を受け入れるとともに、担体流動槽５側に対向する面だけを開口して汚泥濃縮貯留槽４とは外壁で遮蔽するように形成されている。ケース１１の後側下部は担体流動槽５側に下傾部１１ａを形成してケース１１の下部を狭くしている。ケース１１の下部で下傾部１１ａを形成することによって汚泥を溜まりにくくして後述のエアリフトポンプ１５で汚泥を汚泥濃縮貯留槽４に回収し易くしている。
【００２２】
スクリーン板１２は、多孔スクリーン槽１０と担体流動槽５との間で、スクリーン板１２の網目模様の多孔によって汚水が行き来できるように配置されている。孔の径は、約２ｍｍ以下に形成されているから、２ｍｍ以上のし渣は、スクリーン板１２で捕捉される。捕捉されたし渣は、担体流動槽４の流動担体及び多孔スクリーン槽１０内でばっ気により発生した気泡の接触によって、スクリーン板１２から離隔されて多孔スクリーン槽１０内で回流する。
【００２３】
副水路１３は、スクリーン板１２の上方でスクリーン板１２より荒い目（５ｍｍ程度）に形成されて、万が一、スクリーン板１２に目詰まりが発生した場合の汚水の通り道となる。
【００２４】
整流板１４は、厚みの薄い矩形板状に形成され、スクリーン板１２と平行に配置されるとともに、多孔スクリーン槽１０内において、スクリーン板１２に対して反担体流動槽５側に配置することにより、スクリーン板１２との距離を狭くしている。スクリーン板１２と整流板１４との通路を狭くすることによって、ばっ気により発生した気泡や流動担体の流速を速めることができる。
【００２５】
実施形態のエアリフトポンプ１５は、汚泥又はし渣を導入する導入管部１６ａと汚泥又はし渣を汚泥濃縮貯留槽４に送給する送給管部１６ｂとを有してＵ字状に形成される移送管１６と、送給管部１６ｂに接続する空気送給管１７とを有している。導入管部１６ａには、汚水の上面あたりに吸入口１６ｃが形成されて、汚水内のし渣や汚泥を吸引可能とし、送給管部１６ｂは、汚泥濃縮貯留槽４に接続する接続管１６ｄに配管されている。また、空気送給管１７は上部にブロワ１７ａが配置されて下部が送給管部１６ｂに接続されている。このエアリフトポンプ１５は導入管部１６ａの吸入口１６ｃから吸入された汚泥やし渣を、空気送給管１７から空気を供給することによって、送給管部１６ｂに移送して接続管１６ｄを介して汚泥濃縮貯留槽４に送ることとなる。
【００２６】
散気装置１８は、入口１８ａをケース１１の上面より突出して配置されるとともにケース１１の底部でケース１１に支持され、出口１８ｂをケース１１の底部に配置することによって、外部からの空気をケース１１内に貯留された汚水内に放出させ、汚水内で気泡を発生させるように構成されている。
【００２７】
なお、この多孔スクリーン槽１０は、図１のフローチャートで示す流れを確保できれば、汚泥濃縮貯留槽４内に侵入して配置されるのではなく、他の槽に組み込んでもよく、また、独立して配置されていてもよい。他の槽に組み込むことによって設置スペースを有効に利用できることとなる。また、汚泥濃縮貯留槽４を図３に配置する位置と別に設けてもよい。
【００２８】
担体流動槽５は、多孔スクリーン槽１０と一面で連通して汚水の行き来を可能とするとともに、汚泥濃縮貯留槽４及び生物ろ過槽６とは、壁で遮蔽されて汚水の行き来を不可能に形成されている。担体流動槽５内には、固形物に生物を付着させて汚濁物質を処理する流動担体Ｔ（図１１参照）が充填されて生物反応槽として配置されている。また、担体流動槽５内に、酸素供給管５１を挿入して担体流動槽５内に酸素を供給する。供給された酸素によって担体流動槽５内はばっ気される。このばっ気により流動担体が回流して多孔スクリーン槽１０のスクリーン板１２に捕捉されたし渣に接触してスクリーン板１２に付着したし渣をスクリーン板１２から離隔する。これによって、スクリーン板１２の目詰まりを防止する。なお、実施形態の酸素供給管５１は、担体流動槽５内に垂直方向に配置させるとともに、担体流動槽５の上面を突出するように空気導入口５１ａを配置し、底部に二股状に形成する空気排出筒５１ｂを配置している。なお、空気排出筒５１ｂは、担体流動槽５の底部に配置されているものであれば、二股状ではなく１個でもよくまた多数に配置されていてもよい。さらに、酸素供給管５１の出口から空気を供給できるものであれば、図例のような水平方向に配置するものではなく、例えば、空気排出筒５１ｂを削除して垂直方向に設置した酸素供給管５１の端部から、直接空気を排出するようにしてもよい。
【００２９】
生物ろ過槽６は、図３及び図９に示すように、担体流動槽５で生物反応処理された汚水中の汚泥を沈殿させてろ材でろ過するものであり、担体流動槽５から接続される吸入管６１と、生物ろ過槽６の上部に配置されるろ材６２と、ろ過された汚泥を複数のエアリフトポンプ６３で流量調整槽３に移送する移送管６４とを備えている。
【００３０】
放流ポンプ槽７は、図３及び図１０に示すように、消毒室７１と放流ポンプ室７２とを備え、消毒室において生物ろ過槽でろ過された汚水を消毒して放流ポンプ室に配置された電動ポンプ７３で排出口７４から外部に放流される。
【００３１】
次に上述のように構成された浄化槽１の作用について説明する。
【００３２】
浄化槽１に流入された汚水は、ばっ気型スクリーン槽２に流入すると櫛目状のバースクリーン２１で５０ｍｍ以上の粗大固形物が除去されて流量調整槽３に移送される。バースクリーン２１に付着された粗大固形物は、ばっ気により除去されて貯留される。そしてバースクリーン２１は、定期的に清掃される。
【００３３】
ばっ気型スクリーン槽２から流量調整槽３に流入された汚水は、流量調整槽３の底部に貯留される。流量調整槽３には、生物ろ過槽６で除去された汚泥が常時回収されている。汚泥やし渣を含んだ汚水は電動ポンプ３１により上方に吸い上げられる。そして、上部に配置された計量装置３２で所定量の汚水が計量されて移流管３３を通って多孔スクリーン槽１０内に流入される。
【００３４】
図１１に示すように、多孔スクリーン槽１０では、移流管３３を通って貯留された汚水はスクリーン板１２を通って担体流動槽５に流れることから、スクリーン板１２を透過することによって２ｍｍ以上の夾雑物を含むし渣がスクリーン板１２で捕捉される。一方、汚水中に含まれる汚泥は多孔スクリーン槽１０の底部に沈殿する。
【００３５】
また、多孔スクリーン槽１０内には、整流板１４が設置されているとともに、底部に出口１８ｂを配置した散気装置１８が多孔スクリーン槽１０内でばっ気を行うように配置されている。散気装置１８は、ケース１１の上面より突出位置で空気の入口１８ａを備えているから、汚水内の出口１８ｂから気泡Ｅが吹出される。気泡Ｅはスクリーン板１２と整流板１４との間を通って上昇する。スクリーン板１２と整流板１４との間は狭い通路に形成されているから、汚水の流れが速くなるとともに、ケース１１の下傾部１１ａにより多孔スクリーン槽１０内の回流の効率を促進する。
【００３６】
また、図１２に示すように、多孔スクリーン槽１０と担体流動槽５とはスクリーン板１２を介して連通可能に配置されているから、担体流動槽５においては、し渣が除去された汚水が貯留される。担体流動槽５には、流動担体Ｔが充填されており、流動担体Ｔは、担体流動槽５内に配置されてばっ気を行うための酸素供給管５１が配置されている。酸素供給管５１の空気排出筒５１ｂから酸素を供給することによって、担体流動槽５内は気泡Ｅが排出され、流動担体Ｔとともに担体流動槽５内を回流する。流動担体Ｔはスクリーン板１２を通って多孔スクリーン槽１０内にも入り込んで、多孔スクリーン槽１０と担体流動槽５内では、流動担体Ｔと気泡Ｅとが回流することとなる。
【００３７】
したがって、スクリーン板１２では、散気装置１８から排出された気泡Ｅと、担体流動槽５で回流した流動担体Ｔとが、スクリーン板１２に付着したし渣と接触して、し渣をスクリーン板１２から離隔させる。これによってスクリーン板１２の目詰まりを防止することとなる。
【００３８】
離隔したし渣や底部に貯留されている汚泥は、図１３に示すように、多孔スクリーン槽１０内で回流して、エアリフトポンプ１５の移送管１６の吸入口１６ｃから移送管１６の導入管部１６ａに吸入される。そして空気送給管１７（図４参照）から空気を送り込むことによって、汚泥・し渣は送給管部１６ｂに移送されて接続管１６ｄから汚泥濃縮貯留槽４に送られることとなる。
【００３９】
また、万が一スクリーン板１２に目詰まりがあった場合、多孔スクリーン槽１０内では、汚水の水位が上昇することになる。汚水の水位が上昇すると、汚水はスクリーン板１２の上方に配置された副水路１３を通って担体流動槽５内に流入される。副水路１３は、スクリーン板１２より目が荒く形成されていることから、スクリーン板１２で目詰まりが発生しても副水路１３では汚水を透過し易くなる。
【００４０】
担体流動槽５内では、流動担体Ｔに付着した微生物が汚水と接触することによって、汚水中のＢＯＤを分解除去することとなる。そして、担体流動槽５で生物反応処理された汚水は、生物ろ過槽６に移送される。
【００４１】
生物ろ過槽６では、底部に汚水が貯留されている。汚水が底部から上部へ流れる際に、ろ材６２を通過する。汚水がろ材６２を通過することによって汚水中の汚泥がろ過される。汚泥を沈殿させた汚水は放流ポンプ槽７に消毒室７１に流入されて消毒された後、放流ポンプ室７２の電動ポンプ７３によって槽外に放流される。
【００４２】
生物ろ過槽６内でろ過されて沈殿した汚泥は、エアリフトポンプ６３によって、常時流量調整槽３に移送される。一方、ろ材６２は、毎日、汚水の流入が停止している間に、ばっ気により攪拌にてろ材６２内の汚泥を除去することによって洗浄されている。この際、同時に多孔スクリーン槽１０内では、回流している汚泥・し渣を汚泥濃縮貯留槽４に移送することになる。
【００４３】
上述のように、実施形態の浄化槽１では、多孔スクリーン槽１０と担体流動槽５がスクリーン板１２を介して連通されていることから、汚水中のし渣はスクリーン板１２を透過することによって除去される。そのため、スクリーン板１２を揺動する必要とすることはないからスクリーン板１２を揺動するモータを削除できる。
【００４４】
したがって、スクリーン板１２に動力を付与しないことによって、イニシャルコストを低減することができる。つまり、スクリーン板１２でし渣を除去する際に、担体流動槽５のばっ気に使用する空気の一部を利用していることから、専用の電力は必要なく従来に比べて省電力となる。また、専用の電力がないことから、基本的に消耗品はなく、維持費を低減することができてランニングコストを低減することができる。さらに、浄化槽設置時に電気工事を削除することができる。そのため、工期を短縮することが可能となる。
【００４５】
またスクリーン板１２に捕捉されて付着したし渣は、多孔スクリーン槽１０及び担体流動槽５内で回流する気泡Ｅや流動担体Ｔの接触でスクリーン板１２から離隔される。これによってスクリーン板１２の目詰まりが防止される。
【００４６】
また、スクリーン板１２の目詰まりの防止は、スクリーン板１２と平行に配置される整流板１４によって、ばっ気によって発生した気泡Ｅや回流する流動担体Ｔのスクリーン板１２への接触を良好にすることから、さらに促進することができる。
【００４７】
また、多孔スクリーン槽１０と担体流動槽５とがスクリーン板１２を介して部屋同士つながっていることから、両部屋の汚泥濃度は均一となって汚泥調整と、し渣等の汚泥濃縮貯留槽への移送を、従来２つのエアリフトポンプで行っていたものを１つのエアリフトポンプ１５で行うことができる。これによって部品の点数を減少することができて廉価に製作できることとなる。
【００４８】
さらに、スクリーン板の上部には、スクリーン板１２より目の荒い副水路１３を設けてあるから、万が一、スクリーン板１２に目詰まりが生じたとしても、副水路１３を通って汚水を担体流動槽５に移送することができる。
【００４９】
なお、本発明の浄化槽は、上述の形態に限定するものではない。例えば、請求項１の構成による、多孔スクリーン槽１０と担体流動槽５とを多孔製のスクリーン板で連通可能に隣接させることは、例えば、多孔スクリーン槽に汚水を送給するための流量調整槽を通らないタイプのものであっても適用できるものである。
【００５０】
また、各槽で配置されたエアリフトポンプは、槽内に酸素を供給できるものであれば、他の構成のものであっても適用できるものである。
【図面の簡単な説明】
【００５１】
【図１】本発明の一形態の浄化槽を示すフローチャートである。
【図２】本発明の一形態の浄化槽を示す平面図である。
【図３】同縦断面図である。
【図４】図３における多孔スクリーン槽の内部を示す正面図である。
【図５】同平面図である。
【図６】図５におけるVI−VI断面図である。
【図７】図５におけるVII−VII断面図である。
【図８】図２におけるVIII−VIII断面図である。
【図９】図２におけるIX−IX断面図である。
【図１０】図２におけるX−X断面図である。
【図１１】多孔スクリーン槽・担体流動槽内の汚水の流れを示す簡略作用図である。
【図１２】スクリーン板の目詰まりを防止するための流れを示す簡略作用図である。
【図１３】多孔スクリーン槽内の汚泥・し渣を除去する流れを示す簡略作用図である。
【図１４】従来の浄化槽における汚水の流れを示すフローチャートである。
【符号の説明】
【００５２】
１、浄化槽
２、ばっ気型スクリーン槽
３、流量調整槽
４、汚泥濃縮貯留槽
５、担体流動槽
６、生物ろ過槽
７、放流ポンプ槽
１０、多孔スクリーン槽
１１、ケース
１１a、下傾部
１２、スクリーン板
１３、副水路
１４、整流板
１５、エアリフトポンプ
１６、移送管
１６c、吸入口
１６d、接続管
１８、散気装置
２１、バースクリーン
３１、電動ポンプ
３２、計量装置
５１、酸素供給管
６２、ろ材
【図１】
0005053911.tif 000002
【図２】
0005053911.tif 000003
【図３】
0005053911.tif 000004
【図４】
0005053911.tif 000005
【図５】
0005053911.tif 000006
【図６】
0005053911.tif 000007
【図７】
0005053911.tif 000008
【図８】
0005053911.tif 000009
【図９】
0005053911.tif 000010
【図１０】
0005053911.tif 000011
【図１１】
0005053911.tif 000012
【図１２】
0005053911.tif 000013
【図１３】
0005053911.tif 000014
【図１４】
0005053911.tif 000015